【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
（ａ）光線療法用のデバイスであって、
青色スペクトル成分および／または緑色スペクトル成分を含むか、または青色スペクトル成分および／または緑色スペクトル成分からなる光を発生させる第１の光源であって、前記青色スペクトル成分および／または緑色スペクトル成分を含む光が点滅光である、第１の光源と、
青色および／または緑色スペクトル成分を欠いている光を発生させるか、または前記第１の光源が発生させる光の青色スペクトル成分および／または緑色スペクトル成分よりも小さい青色スペクトル成分および／または緑色スペクトル成分の光を発生させる第２の光源であって、前記第１の光源の点滅が前記第２の光源からの光と組み合わされたときに人間の視覚では実質的に検出不可能であるように前記第１の光源が発生させた照明光を補う照明光を発生させる第２の光源と、を備えるデバイス、
または、
（ｂ）アルツハイマー病、鬱病、認知症、短期記憶の治療、または学習改善、運動能力改善、もしくは認知能力改善などのための光線療法用のシステムであって、
（ｉ）該システムが２０から５０Ｈｚの範囲内（好ましくは約４０Ｈｚ）の周波数で動作する青色光源を備えることによって、該システムが脳波（人間の脳内のガンマ振動）を刺激するために人間の網膜神経節細胞が曝露されることを可能にする、もしくは、
（ｉｉ）該システムが人間の眼瞼を照射するための青色光源を備える安眠マスクを含み、前記青色光源が２０から５０Ｈｚの範囲内（好ましくは約４０Ｈｚ）の周波数で動作することによって、脳波（人間の脳内のガンマ振動）を刺激するために該システムが前記安眠マスクを着用する人間の網膜神経節細胞を１時間を超える全時間期間にわたって放出青色光の一部（眼瞼を透過する部分）に曝露することを可能にする、もしくは、
（ｉｉｉ）該システムが約４６０ｎｍなどの光スペクトルの青色部分にピーク強度を有する狭スペクトル光源と、可視光スペクトルの大部分または全部をカバーする広スペクトル光源とを備え、前記狭スペクトル光源が２０から６０Ｈｚの範囲内（好ましくは約４０Ｈｚ）の周波数で動作するストロボ青色光源であって４４０ｎｍから４８０ｎｍの波長範囲内に出力の大部分を有し、前記広スペクトル光源が４４０ｎｍから４８０ｎｍの波長範囲外に出力の大部分を有する連続光源であることによって、前記狭スペクトル光源と前記広スペクトル光源が組み合わさって実質的に白色の光の照明光を発する、もしくは、
（ｉｖ）該システムが第１の光源と第２の光源とを備え、前記第１の光源と前記第２の光源が２０から６０Ｈｚの範囲内（好ましくは約４０Ｈｚ）の周波数で動作し、前記第１の光源と前記第２の光源からの組み合わさった光の出力が実質的に一定になるように同期される、システム。
【請求項２】
（ａ）前記第１の光源が、青色スペクトル成分を含むか、または青色スペクトル成分からなる光を発生させ、前記第２の光源が、青色スペクトル成分を欠いている光を発生させるか、または前記第１の光源が発生させる光の青色スペクトル成分よりも小さい青色スペクトル成分の光を発生させる、および／または、
（ｂ）前記第１の光源の点滅の周波数および強度が、人間が前記第１の光源に曝露されたときに前記人間の脳における脳波を刺激または同調させるのに十分であり、任意で前記脳波がガンマ振動を含む、請求項１に記載のデバイス。
【請求項３】
（ａ）前記第１の光源の点滅の周波数が、
（ｉ）約２０Ｈｚから、または約３０Ｈｚから、または約３５Ｈｚから、または約４０Ｈｚから、最大約１００Ｈｚまで、または約８０Ｈｚまで、または約６０Ｈｚまで、または約５０Ｈｚまで、または約４５Ｈｚまでの範囲内である、および／または、
（ｉｉ）約２０Ｈｚから最大約５０Ｈｚまでの範囲内である、および／または、
（ｉｉｉ）約４０Ｈｚである、
および／または、
（ｂ）前記第１の光源の前記点滅の持続時間が、
（ｉ）約１ｍｓから、または約５ｍｓから最長約５０ｍｓまで、または約４０ｍｓまで、または約３０ｍｓまで、または約２０ｍｓまで、または約１５ｍｓまで、または約１０ｍｓまでの範囲内である、および／または、
（ｉｉ）約５ｍｓから最長約２０ｍｓまで、または約８ｍｓから最長約１５ｍｓまでの範囲内である、
および／または、
（ｃ）前記第１の光源の色温度が、
（ｉ）約２７００Ｋから、または約２８００Ｋから、または約２９００Ｋから最大約６５００Ｋまで、または約５０００Ｋまで、または約４０００Ｋまで、または約３５００Ｋまでの範囲内である、および／または、
（ｉｉ）約２９００Ｋから最大約３１００Ｋまでの範囲内である、および／または、
（ｉｉｉ）約３０００Ｋである、
および／または、
（ｄ）前記第１の光源が、約１０ｌｍから、または約２５ｌｍから、または約５０ｌｍから、または約１００ｌｍから、または約５００ｌｍから最大約１００００ｌｍまで、または約５０００ｌｍまで、または約１０００ｌｍまでの範囲内である光度をもたらし、任意で前記第１の光源が、
（ｉ）約４４０ｎｍから最大約５００ｎｍまで、または約４５０ｎｍから最大約４９０ｎｍまで、または約４５０ｎｍから最大約４８０ｎｍまで、または約４５０ｎｍから最大約４７０ｎｍまで、または約４５５ｎｍから最大約４６５ｎｍまでの波長範囲内で５ｍＷ／ｎｍ／ｍ２より大きい放射照度をもたらす、または、
（ｉｉ）少なくとも約１０ルクス、もしくは少なくとも約２０ルクス、もしくは少なくとも約３０ルクス、もしくは少なくとも約４０ルクス、もしくは少なくとも約５０ルクス、もしくは少なくとも約６０ルクス、もしくは少なくとも約７０ルクス、もしくは少なくとも約８０ルクス、もしくは少なくとも約９０ルクス、もしくは少なくとも約１００ルクス、もしくは少なくとも約１２０ルクス、もしくは少なくとも約１３０ルクス、もしくは少なくとも約１４０ルクス、もしくは少なくとも約１５０ルクス、もしくは少なくとも約１６０ルクス、もしくは少なくとも約１７０ルクス、もしくは少なくとも約１８０ルクス、もしくは少なくとも約１９０ルクス、もしくは少なくとも約２００ルクス、もしくは少なくとも約３００ルクス、もしくは少なくとも約４００ルクス、もしくは少なくとも約５００ルクス、もしくは少なくとも約６００ルクス、もしくは少なくとも約７００ルクス、もしくは少なくとも約８００ルクス、もしくは少なくとも約９００ルクス、もしくは少なくとも約１０００ルクスの全照度および／または青色スペクトル成分の照度を有する光をもたらす、請求項１または２に記載のデバイス。
【請求項４】
（ａ）前記第２の光源が点滅光源であり、任意で前記第２の光源の点滅の周波数が、
（ｉ）約２０Ｈｚから、または約３０Ｈｚから、または約３５Ｈｚから、または約４０Ｈｚから最大約１００Ｈｚまで、または約８０Ｈｚまで、または約６０Ｈｚまで、または約５０Ｈｚまで、または約４５Ｈｚまでの範囲内である、または、
（ｉｉ）２０Ｈｚから最大約５０Ｈｚまでの範囲内である、または、
（ｉｉｉ）約４０Ｈｚである、
および／または、
（ｂ）前記第２の光源の点滅の持続時間が、
（ｉ）約１ｍｓから、または約５ｍｓから最長約５０ｍｓまで、または約４０ｍｓまで、または約３０ｍｓまで、または約２０ｍｓまで、または約１５ｍｓまで、または約１０ｍｓまでの範囲内である、および／または、
（ｉｉ）約５ｍｓから最長約２０ｍｓまで、または約８ｍｓから最長約１５ｍｓまでの範囲内である、
および／または、
（ｃ）前記第２の光源の色温度が、
（ｉ）約２７００Ｋから、または約２８００Ｋから、または約２９００Ｋから最大約６５００Ｋまで、または約５０００Ｋまで、または約４０００Ｋまで、または約３５００Ｋまでの範囲内である、および／または、
（ｉｉ）約２９００Ｋから最大約３１００Ｋまでの範囲内である、および／または、
（ｉｉｉ）約３０００Ｋである、
および／または、
（ｄ）前記第２の光源が、約１０ｌｍから、または約２５ｌｍから、または約５０ｌｍから、または約１００ｌｍから、または約５００ｌｍから最大約１０，０００ｌｍまで、または約５，０００ｌｍまで、または約１０００ｌｍまでの範囲内である光度をもたらす、請求項１から３のいずれか一項に記載のデバイス。
【請求項５】
（ａ）前記第１の光源と前記第２の光源との間の色温度の差が、約３０Ｋ未満、または約２０Ｋ未満、または約１０Ｋ未満、または約５Ｋ未満であり、任意で前記第１の光源と前記第２の光源との間の色温度の差が約５Ｋから最大約１０Ｋまでの範囲内である、
および／または、
（ｂ）前記第１の光源および前記第２の光源に対する黒体軌跡への距離Ｄｕｖが、約０．００１未満、または約０．０００１未満であり、任意で前記第１の光源および前記第２の光源に対する黒体軌跡への距離Ｄｕｖが約０．０００１以下である、
および／または、
（ｃ）前記第１の光源と前記第２の光源との間の強度の差が、約１００ルクス未満、または約７５ルクス未満、または約５０ルクス未満、または約４０ルクス未満、または約３０ルクス未満、または約２０ルクス未満、または約１０ルクス未満、または約５ルクス未満、または約２ルクス未満である、
および／または、
（ｄ）前記第１の光源および前記第２の光源が、実質的に同じ方向に光を放出し、任意で前記第１の光源と前記第２の光源との間の照明光角度の差が、約３０度未満、または約２５度未満、または約２０度未満、または約１５度未満、または約１０度未満、または約５度未満である、
および／または、
（ｅ）前記デバイスが、前記第２の光源と位相をずらせて前記第１の光源を動作させるように構成されていて、任意で
（ｉ）前記第１の光源と前記第２の光源との間の位相差が約９０度から約１８０度までの範囲内である、および／または、
（ｉｉ）前記第１の光源と前記第２の光源との間の位相差が、前記第１の光源がオンになったときに前記第２の光源がオフになり、また逆に前記第２の光源がオンになったときに前記第１の光源がオフになりなるように約１８０度である、
および／または、
（ｆ）前記第１の光源および／または前記第２の光源のデューティサイクルが、約５％以上、または約１０％から、または約１５％から、または約２０％から、または約２５％から、または約３０％から、または約３５％から、または約４０％から最大約９０％まで、または約８５％まで、または約８０％まで、または約７５％まで、または約７０％まで、または約６５％まで、または約６０％までの範囲内であり、任意で前記第１の光源および／または前記第２の光源のデューティサイクルが約５０％である、
（ｇ）前記第１の光源のデューティサイクル対前記第２の光源のデューティサイクルの比が、約１：１０から約１０：１まで、または約１：５から約５：１まで、または約１：２から約２：１までの範囲内であり、任意で前記第１の光源のデューティサイクル対前記第２の光源のデューティサイクルの比が約１：１である、請求項１から４のいずれか一項に記載のデバイス。
【請求項６】
（ａ）前記第１の光源が、青色スペクトル成分と緑色スペクトル成分とオレンジ色もしくは赤色スペクトル成分とを含むか、または青色スペクトル成分と緑色スペクトル成分とオレンジ色もしくは赤色スペクトル成分とからなる、
および／または、
（ｂ）前記第１の光源が、もっぱら青色光を放出するランプと、もっぱら緑色光を放出するランプと、もっぱらオレンジ色および／もしくは赤色光を放出するランプとを含むか、またはもっぱら青色光を放出するランプと、もっぱら緑色光を放出するランプと、もっぱらオレンジ色および／もしくは赤色光を放出するランプとからなる、
および／または、
（ｃ）前記第１の光源の青色光、または前記第１の光源の青色スペクトル成分、またはランプによって放出される青色光が、約４４０ｎｍから最大約４９５ｎｍまで、または約４４０ｎｍから最大約４８０ｎｍまで、または約４５０ｎｍから最大約４８０ｎｍまで、または約４５０ｎｍから最大約４７０ｎｍまでの波長範囲内にあり、任意で前記第１の光源の青色光、または前記第１の光源の青色スペクトル成分、またはランプによって放出される前記青色光が、約４６０ｎｍで最大放出を有する、
および／または、
（ｄ）前記第１の光源の緑色光、または前記第１の光源の緑色スペクトル成分、または前記第２の光源が含むランプによって放出される緑色光が、もっぱら、約４９５ｎｍから最大約５７０ｎｍまで、または約５００ｎｍから、または約５１０ｎｍから、または約５２０ｎｍから、または約５３０ｎｍから、または約５４０ｎｍから、または約５５０ｎｍから最大約５７０ｎｍまでの波長範囲内にあり、任意で前記第１の光源の緑色光、または前記第１の光源の緑色スペクトル成分、またはランプによって放出される緑色光が、もっぱら、約５５０ｎｍから最大約５７０ｎｍまでの波長範囲内にある、
および／または、
（ｅ）前記第１の光源の緑色光、または前記第１の光源の緑色スペクトル成分、またはランプによって放出される緑色光が、約５５０ｎｍまたは約５７０ｎｍで最大放出を有する、
および／または、
（ｆ）前記第１の光源のオレンジ色および／もしくは赤色光、または前記第１の光源のオレンジ色および／もしくは赤色スペクトル成分、または前記第２の光源が含むランプによって放出されるオレンジ色および／もしくは赤色光が、もっぱら、約５９０ｎｍから最大約７５０ｎｍまで、または約６００ｎｍから最大約７００ｎｍまで、または最大約６５０ｎｍまでの波長範囲内にある、
および／または、
（ｇ）前記第１の光源のオレンジ色および／もしくは赤色光、または前記第１の光源のオレンジ色および／もしくは赤色スペクトル成分、またはランプによって放出されるオレンジ色および／もしくは赤色光が、もっぱら、約６００ｎｍから最大約６５０ｎｍまでの波長範囲内にあり、任意で前記第１の光源のオレンジ色および／もしくは赤色光、または前記第１の光源のオレンジ色および／もしくは赤色スペクトル成分、またはランプによって放出されるオレンジ色および／もしくは赤色光が、約６００ｎｍまたは約６５０ｎｍで最大放出を有する、請求項１から５のいずれか一項に記載のデバイス。
【請求項７】
前記第２の光源が、青色および／もしくは緑色スペクトル成分と、オレンジ色スペクトル成分と、赤色および／遠赤外スペクトル成分とを含むか、または青色および／もしくは緑色スペクトル成分と、オレンジ色スペクトル成分と、赤色および／遠赤外スペクトル成分とからなるか、または、
前記第２の光源が、緑色スペクトル成分と、オレンジ色および／もしくは赤色スペクトル成分とを含むか、または緑色スペクトル成分と、オレンジ色および／もしくは赤色スペクトル成分とからなり、
好ましくは、
前記第２の光源が、もっぱら青色および／もしくは緑色光を放出するランプと、もっぱらオレンジ色光を放出するランプと、もっぱら赤色および／もしくは遠赤外光を放出するランプとを含むか、または、もっぱら青色および／もしくは緑色光を放出するランプと、もっぱらオレンジ色光を放出するランプと、もっぱら赤色および／もしくは遠赤外光を放出するランプとからなるか、または、
前記第２の光源が、もっぱら緑色光を放出するランプともっぱらオレンジ色および／もしくは赤色光を放出するランプとを含むか、またはもっぱら緑色光を放出するランプともっぱらオレンジ色および／もしくは赤色光を放出するランプとからなる、請求項１から６のいずれか一項に記載のデバイス。
【請求項８】
（ａ）前記第２の光源が、もっぱら青色および／もしくは緑色光を放出するランプと、もっぱらオレンジ色光を放出するランプと、もっぱら赤色および／もしくは遠赤外光を放出するランプとを含むか、または、もっぱら青色および／もしくは緑色光を放出するランプと、もっぱらオレンジ色光を放出するランプと、もっぱら赤色および／もしくは遠赤外光を放出するランプとからなり、好ましくは前記第２の光源の青色および／もしくは緑色光、または前記第２の光源の青色および／もしくは緑色スペクトル成分、または前記第２の光源が含むランプによって放出される青色および／もしくは緑色光が、もっぱら、約４９０ｎｍから最大約５７０ｎｍまで、または約５００ｎｍから、または約５１０ｎｍから、または約５２０ｎｍから、または約５３０ｎｍから、または約５４０ｎｍから、または約５５０ｎｍから最大約５７０ｎｍまでの波長範囲内にあり、より好ましくは前記第２の光源の青色光、または前記第２の光源の青色スペクトル成分、またはランプによって放出される青色光が、約４９０ｎｍで最大放出を有し、任意で、
（ｉ）前記第２の光源のオレンジ色光、または前記第２の光源のオレンジ色スペクトル成分、または前記第２の光源が含むランプによって放出されるオレンジ色光が、もっぱら、約５９０ｎｍから最大約６２０ｎｍまで、または約５９０ｎｍから最大約６１０ｎｍまでの波長範囲内にあり、任意で前記第２の光源のオレンジ色光、または前記第２の光源のオレンジ色スペクトル成分、または前記第２の光源が含むランプによって放出されるオレンジ色光が、約６００ｎｍで最大放出を有する、および／または、
（ｉｉ）前記第２の光源の赤色および／もしくは遠赤外光、または前記第２の光源の赤色および／もしくは遠赤外スペクトル成分、または前記第２の光源が含むランプによって放出される赤色および／もしくは遠赤外光が、もっぱら、約６２０ｎｍから最大約７７０ｎｍまで、または約６５０ｎｍから最大約７５０ｎｍまで、または約６７０ｎｍから最大約７００ｎｍまでの波長範囲内にあり、任意で前記第２の光源の赤色および／もしくは遠赤外光、または前記第２の光源の赤色および／もしくは遠赤外スペクトル成分、または前記第２の光源が含むランプによって放出される赤色および／もしくは遠赤外光が、もっぱら、約６７０ｎｍまたは約７７０ｎｍである、
または、
（ｂ）前記第２の光源が、もっぱら緑色光を放出するランプともっぱらオレンジ色および／もしくは赤色光を放出するランプとを含むか、または、もっぱら緑色光を放出するランプともっぱらオレンジ色および／もしくは赤色光を放出するランプとからなり、任意で
（ｉ）前記第２の光源の緑色光、または前記第２の光源の緑色スペクトル成分、または前記第２の光源が含むランプによって放出される緑色光が、もっぱら、約４９５ｎｍから最大約５７０ｎｍまで、または約５００ｎｍから、または約５１０ｎｍから、または約５２０ｎｍから、または約５３０ｎｍから、または約５４０ｎｍから、または約５５０ｎｍから最大約５７０ｎｍまでの波長範囲内にあり、任意で前記第２の光源の緑色光、または前記第２の光源の緑色スペクトル成分、またはランプによって放出される緑色光が、もっぱら、約５００ｎｍから最大約５５０ｎｍまでの波長範囲内にあり、任意で前記第２の光源の緑色光、または前記第２の光源の緑色スペクトル成分、またはランプによって放出される緑色光が、約５００ｎｍで最大放出を有する、および／または、
（ｉｉ）前記第２の光源のオレンジ色および／もしくは赤色光、または前記第２の光源のオレンジ色および／もしくは赤色スペクトル成分、または前記第２の光源が含むランプによって放出されるオレンジ色および／もしくは赤色光が、もっぱら、約５９０ｎｍから最大約７５０ｎｍまで、または約６００ｎｍから最大約７００ｎｍまで、または最大約６５０ｎｍまでの波長範囲内にあり、任意で前記第２の光源のオレンジ色および／もしくは赤色光、または前記第２の光源のオレンジ色および／もしくは赤色スペクトル成分、またはランプによって放出されるオレンジ色および／もしくは赤色光が、もっぱら、約６００ｎｍから最大約６５０ｎｍまでの波長範囲内にあり、任意で前記第２の光源のオレンジ色および／もしくは赤色光、または前記第２の光源のオレンジ色および／もしくは赤色スペクトル成分、またはランプによって放出されるオレンジ色および／もしくは赤色光が、約６００ｎｍまたは約６１０ｎｍで最大放出を有する、請求項７に記載のデバイス。
【請求項９】
白色以外の色として知覚される光を発生させ、
（ａ）好ましくは、
（ｉ）前記第１の光源が緑色スペクトル成分と赤色スペクトル成分とを含むか、または緑色スペクトル成分と赤色スペクトル成分とからなり、前記第２の光源が黄色スペクトル成分を含む、および／または、
（ｉｉ）第１の光源が、約５３０ｎｍで最大放出を有する緑色スペクトル成分を含む、および／または、
（ｉｉｉ）前記第１の光源が、約６３０ｎｍで最大放出を有する赤色スペクトル成分を含む、および／または、
（ｉｖ）前記第２の光源が黄色スペクトル成分を含むか、または黄色スペクトル成分からなり、任意で前記第２の光源が、約５８０ｎｍで最大放出を有する黄色スペクトル成分を含む、
および／または、
（ｂ）好ましくは、
（ｉ）前記第１の光源が、青色スペクトル成分と黄色スペクトル成分とを含むか、または青色スペクトル成分と黄色スペクトル成分とからなる、および／または、
（ｉｉ）前記第１の光源が、約４８０ｎｍで最大放出を有する青色スペクトル成分を含む、および／または、
（ｉｉｉ）前記第１の光源が、約５７５ｎｍで最大放出を有する黄色スペクトル成分を含む、および／または、
（ｉｖ）前記第２の光源が、緑色スペクトル成分および赤色スペクトル成分を含むか、または緑色スペクトル成分および赤色スペクトル成分からなる、および／または、
（ｖ）前記第２の光源が、約５１０ｎｍで最大放出を有する緑色スペクトル成分を含む、および／または、
（ｖｉ）前記第２の光源が、約６００ｎｍで最大放出を有する赤色スペクトル成分を含む、請求項１から８のいずれか一項に記載のデバイス。
【請求項１０】
（ａ）前記第１の光源が、１つまたは複数の発光ダイオードを備え、任意で前記第１の光源が、各スペクトル成分に対して少なくとも１つの発光ダイオードを備える、
および／または、
（ｂ）前記第２の光源が、１つまたは複数の発光ダイオードを備え、任意で前記第２の光源が、各スペクトル成分に対して少なくとも１つの発光ダイオードを備える、
および／または、
（ｃ）前記第１の光源および前記第２の光源が、ディフューザ内に配設されている、
および／または、
（ｄ）前記デバイスが
（ｉ）照明器具、卓上ランプまたは頭上ランプを含む、または、
（ｉｉ）窓のフレームの近くに、窓のフレームのところに、および／または窓のフレームに付着して、取り付けるように構成されている、または、
（ｉｉｉ）フェイスマスクまたはアイマスクを含む、
および／または
（ｅ）
（ｉ）前記第１の光源と前記第２の光源とが、単一のユニットもしくはハウジング内にあるか、または異なるユニットもしくはハウジング内にある、または、
（ｉｉ）前記デバイスが、前記第１の光源および／または前記第２の光源の強度と、前記第１の光源および／または前記第２の光源の点滅速度と、前記第１の光源および／または前記第２の光源の位相と、前記第１の光源および／または前記第２の光源のスペクトル組成と、前記第１の光源および／または前記第２の光源の強度とのうちの１つまたは複数を制御するコントローラを備え、好ましくは前記コントローラが、前記第１の光源および／または前記第２の光源を時刻に応じて制御するように構成されていて、より好ましくは前記コントローラが室内での移動に応答するように構成されているかまたは前記コントローラが、コンピュータ、携帯電話、もしくはタブレットとインターフェースするように構成されている、請求項１から９のいずれか一項に記載のデバイス。
【請求項１１】
請求項１から１０のいずれか一項に記載のデバイス、および、
人間に身に着けられるように構成されている個人健康センサと、個人環境センサと、前記デバイスとインターフェースするためのアプリケーションを備えるように構成されている携帯電話と、前記デバイスとインターフェースしないアプリケーションを備えるように構成されているコンピュータと、前記デバイスとインターフェースするように構成されているタブレットとのうちの１つまたは複数を備えるシステムであって、
任意で該システムが、スマートフォン、スマートウォッチ、活動量計、周辺光センサ、ＧＰＳ、加速度計、および時計からなる群から選択される１つまたは複数のデバイスを備える、システム。
【請求項１２】
認知症、軽度認知障害、およびアルツハイマー病からなる群から選択される神経変性状態を有する被検体を治療する方法用の請求１から１０のいずれか一項に記載のデバイスまたは請求項１１に記載のシステムであって、
前記方法が、前記被検体を、約２０Ｈｚから最大約６０Ｈｚまで、または約３０Ｈｚから最大約５０Ｈｚまで、または約３５Ｈｚから最大約４５Ｈｚまでの範囲、または約４０Ｈｚの周波数で点滅する青色光に、症状を軽減するか、または前記神経変性状態の進行を遅くするかもしくは停止させるのに十分な強度および持続時間で曝露することを含み、前記曝露することが請求項１から１０のいずれか一項に記載のデバイスによって行われる、デバイスまたはシステム。
【請求項１３】
請求項１２に記載の方法用の薬物であって、前記方法が、前記被検体に認知障害および／またはアルツハイマー病の治療のために該薬物を投与することをさらに含み、任意で該薬物がコリンエステラーゼ阻害薬を含む、薬物。
【請求項１４】
（ａ）前記第１の光源が、前記第２の光源の約４６０ｎｍのスペクトル成分よりも大きい約４６０ｎｍのスペクトル成分を有する、および／または、
（ｂ）発光ダイオードに基づいた光源を備える、および／または、
（ｃ）前記第１の光源が波長４６０ｎｍ、６５０ｎｍ、および５７０ｎｍを備え、前記第２の光源が波長４９０ｎｍ、７７０ｎｍ、および６００ｎｍを備える、請求項１に記載のシステム。
【請求項１５】
（ａ）被検体の記憶力を改善する、認知機能を改善する、睡眠を改善する、および／または運動能力を改善する方法であって、
（ｉ）前記被検体を、約２０Ｈｚから最大約６０Ｈｚまで、または約３０Ｈｚから最大約５０Ｈｚまで、または約３５Ｈｚから最大約４５Ｈｚまでの範囲、または約４０Ｈｚの周波数で点滅する青色光に、効果が得られるのに十分な強度および持続時間で曝露すること、または、
（ｉｉ）前記被検体を、約２０Ｈｚから約５０Ｈｚまでの範囲内の周波数で動作する振動青色光を含む光源に曝露すること、を備える方法、
または、
（ｂ）請求項１または１４に記載のシステムを使用する方法であって、前記システムが、完了時に練習、訓練、および／または競技における遂行能力を最適化するために個人（たとえば、患者、囚人、学生、自宅にいる高齢者、または運動選手）によって使用される、方法。